(57)【要約】      （修正有）【課題】構造簡単にして、製造コストを抑制でき市場に廉価に提供できる負荷簡易調節タイプの新規構造の油圧式の筋力トレーニングマシンを提供する。【解決手段】使用者の操作に委ねられるハンドル、ペダル、その他の可動ユニット５をフレーム１に所用角度可動に枢支すると共に該可動ユニット５とフレーム１との両者間に油圧シリンダー６を枢支連結してなる油圧式筋力トレーニングマシンにおいて、油圧シリンダー６の枢支連結箇所７，７を２以上の複数設けて、任意の枢支連結箇所７．７を選択して油圧シリンダー６の取り付け位置を変更可能とすることで負荷調節し得るように構成したことを特徴とする。【選択図】図１
0003129066.tif 000002
【実用新案登録請求の範囲】
【請求項１】
使用者の操作に委ねられるハンドル、ペダル、その他の可動ユニット５をフレーム１に所用角度可動に枢支すると共に該可動ユニット５とフレーム１との両者間に油圧シリンダー６を枢支連結してなる油圧式筋力トレーニングマシンにおいて、油圧シリンダー６の枢支連結箇所７，７を２以上の複数設けて、任意の枢支連結箇所７．７を選択して油圧シリンダー６の取り付け位置を変更可能とすることで負荷調節し得るように構成したことを特徴とする油圧式筋力トレーニングマシン。
【考案の詳細な説明】
【技術分野】
【０００１】
本考案は、油の油圧抵抗により負荷を発生させる油圧シリンダーを使用してなる油圧式筋力トレーニングマシンに関するものである。
【背景技術】
【０００２】
油圧抵抗により負荷を発生させる油圧シリンダーを使用してなる油圧式の筋力トレーニングマシンは、使用者が発揮した力と同じだけの抵抗力を生じさせる。即ち、速く可動させれば重抵抗となり、ゆっくり可動させれば軽抵抗となる特性を有することから、重錘を使用し抵抗が常に一定となるウエイト式の筋力トレーニングマシンとは相違して、疲れて筋力が落ち発揮する力が小さくなった場合においても無理をせずトレーニングを持続することができると共に筋肉の動きは、短縮性筋収縮のみで伸張性筋収縮を伴わないので、筋肉や関節への負担が少なく、筋肉痛を引き起こすこともほとんどない。また、リズミカルな等速性の往復運動が可能であって、これにより筋肉の緊張、弛緩が繰り返されて、ストレッチ効果があり血行促進を図り得て、リハビリにも効果的である等の諸多の優れた特長を有する。
【０００３】
このように優れた油圧式の筋力トレーニングマシンにおいて、更にさまざまな速度での可動に対して適正な負荷を発生せしめ得るように油圧シリンダーの負荷を調節可能に構成しようとする場合には、従来、油圧シリンダー自体をダイヤル切り替えによって負荷調節できる特殊構造を持つ複雑、高価な負荷調節タイプの高性能な油圧シリンダーを使用することによってこれを実現していた。従って、この種の負荷調節タイプの油圧式の筋力トレーニングマシンにあっては、必然的に製造コストが嵩み、市場に廉価に提供することができないという問題点があった。
【特許文献１】特開２００６−２９６８６２号公報
【考案の開示】
【考案が解決しようとする課題】
【０００４】
本考案は、如上の問題点に鑑みてこれを相当範囲軽減すべく案出したものであって、構造簡単にして製造コストを抑制でき、市場に廉価に提供できる負荷簡易調節タイプの新規構造の油圧式の筋力トレーニングマシンを提供することを目的とするものである。
【課題を解決するための手段】
【０００５】
本考案の油圧式筋力トレーニングマシンは、使用者の操作に委ねられるハンドル、ペダル、その他の可動ユニットをフレームに所用角度可動に枢支すると共に該可動ユニットとフレームとの両者間に油圧シリンダーを枢支連結してなる油圧式筋力トレーニングマシンにおいて、油圧シリンダーの枢支連結箇所を２以上の複数設けて、任意の枢支連結箇所を選択して油圧シリンダーの取り付け位置を変更可能とすることで負荷調節し得るように構成したことを最も主要な特徴とするものである。
【考案の効果】
【０００６】
本考案の油圧式筋力トレーニングマシンは、可動ユニットとフレームとの両者間における油圧シリンダーの枢支連結箇所を２以上の複数設けて、任意の枢支連結箇所を選択して油圧シリンダーの取り付け位置を変更可能とすることで、可動ユニットに対する油圧シリンダーの作用点を変更することができ、これによって簡便に負荷調節し得るものであって、かかる本考案油圧式筋力トレーニングマシンは、構造簡単にして製造コストを抑制でき、市場に廉価に提供できる効果を有する。
【考案を実施するための最良の形態】
【０００７】
本考案は、油圧式筋力トレーニングマシンにおける一般の油圧シリンダー自体を高価、高性能なる負荷調節タイプの油圧シリンダーを使用することなくして、可動ユニットとフレームとの両者間における油圧シリンダーの取り付け位置を簡便に変更可能とすることで、可動ユニットに対する油圧シリンダーの作用点を変更し、これによって負荷調節し得るように実現したものである。
【実施例１】
【０００８】
本考案に係る油圧式筋力トレーニングマシンは、レッグプレス、ショルダープレス、アプドミナル（腹筋）、レッグエクステンション（脚筋）、バックエクステンション（背筋）、スクワット、ラットプルダウン等の各機種を包含するものであるが、図示する本実施例は、本考案をレッグプレスの機種に応用したものであり、以下に説明する。、  
【０００９】
フレーム１に背もたれ２を有するシート３を固定すると共に、その前方所定位置におけるフレーム１に、足置き台４を上端部に枢着してなる可動ユニット５の基端部を所用角度可動に枢支している。
【００１０】
当該可動ユニット５上には、フレーム１に基端部を枢着してなる油圧シリンダー６の先端部を枢着するための２以上の複数の連結部７、７を設けている。
【００１１】
本考案に係る油圧式筋力トレーニングマシンは、以上の如くに構成され、使用者はシート３に着座した姿勢で脚を上方に屈曲させて可動ユニット５の上端部に枢着してなる足置き台４に足を乗せ置く。
【００１２】
かかる姿勢の下で、使用者は足を足乗せ台４に押し付けるように強制的に自己の屈曲させた脚を伸張させる。ここにおいて、足乗せ台４を枢着してなる可動ユニット５における油圧シリンダー６のいずれかの連結部７、７には、油圧シリンダー６が枢着されているので、足乗せ台４及び可動ユニット５に負荷を発生させる。従って、使用者は、その負荷に抗して強制的に足乗せ台４及び可動ユニット５を可動させることで、脚力を主とする筋力トレーニングを有効に行うことができる。
【００１３】
更に、図１における実線から二点鎖線に示す如く、油圧シリンダー６の先端部を可動ユニット５における油圧シリンダー６の他の図示上方位置の連結部７に任意に手軽に付け替えることが可能であり、このように油圧シリンダー６の可動ユニットに対する取り付け位置を付け替えると、油圧シリンダー６の可動ユニットに対する作用点を変化させ得るから、これにより足乗せ台４及び可動ユニット５の負荷をある程度調節することができ、異なる速度に対しても適正な負荷を発生せしめ得るように設定することができる。
【００１４】
以上説明した如くなる本考案の特徴的な構成は、油圧式筋力トレーニングマシンに属する前記例示した各機種において本実施例におけると同様に実施し得るものである。
【図面の簡単な説明】
【００１５】
【図１】本考案に係る油圧式筋力トレーニングマシンの実施例を示す側面図である。
【図２】同正面図である。
【図３】同平面図である。
【符号の説明】
【００１６】
１    フレーム
２    背もたれ
３    シート
４    足当て板
５    可動ユニット
６    油圧シリンダー
７    油圧シリンダーの連結部
【図１】
0003129066.tif 000003
【図２】
0003129066.tif 000004
【図３】
0003129066.tif 000005